(57)【要約】【課題】通信販売などで製品を注文した際、受注元が代行業者に製造を委託する場合がある。その際、配送伝票には予め受注元の名称を印刷しておくものが多いが、そのようにすると代行業者は受注元専用の配送伝票を受注元の数だけ用意しておく必要があり、コストがかかってしまう。また、受注元についての詳細な連絡先が提示されていない場合は製品受取人が受注元と連絡をとりにくいという問題がある。【解決手段】配送伝票の表面に、配送物の配送先を印字する配送先印字欄と、配送物の受注元の連絡先を印字する受注元印字欄と、配送物の製造元の連絡先を印字する製造元印字欄と、が同一平面上に形成されてなることで、予め受注元専用の配送伝票を用意しなくてもよく、また、製品受取人においても受注元と製造元の両連絡先を確認することができ、問い合わせに困らないものとなる。【選択図】図１
2015000478.tif 000002
【特許請求の範囲】
【請求項１】
少なくとも貼付票および配送票を有するシートと剥離シートが粘着層を介して積層されてなる配送伝票において、
前記貼付票には、
配送物の配送先を印字する配送先印字欄と、
配送物の受注元の連絡先を印字する受注元印字欄と、
配送物の製造元の連絡先を印字する製造元印字欄と、が同一平面上に形成されてなることを特徴とする配送伝票。
【発明の詳細な説明】
【技術分野】
【０００１】
本発明は、少なくとも２つの紙片が接着されてなる配送伝票に関し、特に、配送物の配送後の受取人が配送物の取扱に困らないための技術に関する。
【０００２】
従来より、配送物を配送する際に、配送先や配送元の情報が掲載されたラベル状の配送伝票が用いられている。そしてこの配送伝票は、上基材と下基材とが剥離可能に接着されてなり、配達人が上基材を下基材から剥離して持ち帰ることのできる構成とされている。例えば、特許文献１、特許文献2のような技術が開示されている。
【先行技術文献】
【特許文献】
【０００３】
【特許文献１】特開2001-150837
【特許文献２】特開2004-291292
【発明の概要】
【発明が解決しようとする課題】
【０００４】
このように形成された配送伝票は、通常、配送時の「配送先」と「配送元」を明確にして配送ミスをなくすものであり、配送に関係ない第三者を記載すると不要な混乱をもたらしかねないものとなる。その混乱をなくすために、配送先情報と配送元情報を記載できるものとなっている。特に配送元情報の一つとして特許文献2や図2に示すように百貨店や通信販売などの運営各社においては、予めその名称が印刷された状態となっていることが多い。これは各社専用の伝票を用いることで、各社の情報をその都度印字する工程を省き効率化するためである。
【０００５】
一方、運営各社から製品の製造を委託されている製造会社は、運営会社から製品製造の受注を受けた後、発注者であるエンドユーザーへ直接配送を請け負うことが多くある。そのため、配送伝票の発送元には配送までを請け負う製造会社が自らその連絡先を印字することもある。しかし、製造会社は複数の受注者からまとめて製造を依頼されることもあるため、予め運営会社各社の名称が印刷されている専用の配送伝票を複数種類用意しなくてはならず、コストがかかってしまう。
【０００６】
また、エンドユーザーである発注者は、運営会社の名称が印刷され且つ製造会社の情報が印字されている配送伝票が貼付された配送物を受け取ることとなるが、発送元の連絡先として製造会社の情報しか提示されておらず、受け取った物品に不具合があったり疑問が生じた場合などの問合せ先として、適切な問合せ先を選択できない状況となっていた。例え、発送元を記載する欄に運営会社の情報を印字したとしても、製造元である製造会社の連絡先が提示されていないので、同じ問題が起こる。つまり、必要に応じて必要な連絡先を選択できないのである。
【０００７】
本発明では、上述するような従来の技術に鑑みてなされたものであって、配送伝票に通信販売業者などの配送物の受注元となる運営会社の連絡先と、通信販売業者等から委託された配送物の製造元兼配送元となる代行業者の連絡先を印字できる配送伝票を提供する。
【課題を解決するための手段】
【０００８】
上記目的を達成するために本発明は、
少なくとも貼付票および配送票を有するシートと剥離シートが粘着層を介して積層されてなる配送伝票において、
前記貼付票には、
配送物の配送先を印字する配送先印字欄と、
配送物の受注元の連絡先を印字する受注元印字欄と、
配送物の製造元の連絡先を印字する製造元印字欄と、が同一平面上に形成されてなる。
【０００９】
上記の構成とすることにより、配送物を受け取った配送物の発注者は、配送物に対する不具合に関する問い合わせや配送物に関する疑問が生じた場合など、適切にその問合せ先を選択することができるようになる。また、受注元と製造元の両方を印字可能にしたため、受注元専用の配送伝票を用意しておく必要がないためコストを抑制でき、製造元と受注元のいかなる組み合わせにおいても自由に印字ができるようになる。  
【発明の効果】
【００１０】
以上により、配送物を受け取った配送物の発注者は、配送物に対する不具合に関する問い合わせや配送物に関する疑問が生じた場合など、適切にその問合せ先を選択することができるようになる。また、受注元と製造元の両方を印字可能にしたため、受注元専用の配送伝票を用意しておく必要がないためコストを抑制でき、製造元と受注元のいかなる組み合わせにおいても自由に印字ができるようになる。
【図面の簡単な説明】
【００１１】
【図１】本発明の実施の形態を示す図であり、（ａ）は正面図、（ｂ）は（ａ）のＡ−Ａ´断面図である。
【図２】図１に示した配送伝票の従来の事例を示す図である。
【発明を実施するための形態】
【００１２】
以下に、本発明の実施の形態について図面を参照して説明する。
【００１３】
図１は、本発明の実施形態である。本願発明の貼付票および配送票を有するシートは、互いに剥離可能に貼着された上紙片10と下紙片18の2層のシートにより構成され、本願発明の剥離シートである剥離紙21と粘着剤19を介して剥離可能に積層されて、本願発明の配送伝票である配送伝票1を構成している。図１は、（a）は、配送伝票1の正面図、図１（b）は図１（a）のA−A´断面図を表したものである。
【００１４】
図１（ａ）について詳細に説明する。上紙片10は貼付票11aと配送票11bをその表面に設けている。配送票11bは上紙片10から左下隅に形成されている切り欠き13をきっかけとして、貼付票11aと配送票11bとの境界に設けられたスリット12により上紙片10から剥離が可能となっている。また、貼付票11a、配送票11bには情報印字欄として配送先情報印字欄14と受注元情報印字欄15と製造元情報印字欄16の三種類が同一平面上に設けられている。
【００１５】
上紙片10は、上紙片10の下紙片18との重ね合わせ面の全面に渡って擬似接着層17を設けているため、配送票11bを上紙片10から剥離可能な構成となっている。この擬似接着層17は、剥離剤と接着剤を適宜積層することにより構成されており、その構成順序に関係なく再剥離可能な構成となっていればよい。接着剤としては例えば水性エマルジョンや天然ゴムにデンプンやシリカ等の微粒状充填剤を混入させたもの、その他粘性を保持しながら接着する粘着剤のいずれでもよい。特に、下紙片18の上紙片10との重ね合わせ面に水性エマルジョン型接着剤を塗布する場合は、下紙片18への水分の浸透を防止するために下紙片18上にメジウム層を設けてから水性エマルジョンを塗布するとよい。また、下紙片18は、上紙片10との重ね合わせ面とは反対の面に粘着剤19が設けられており、下紙片18はこの粘着剤19によって剥離紙21に形成されている剥離剤20と貼着されている。そして、剥離紙21を下紙片18から剥離したことにより露出した粘着剤19によって、ダンボールなどの配送物に貼着されるため、この粘着剤19は配送物から脱落しない程度に強固に粘着性を保持するものであればよい。
【００１６】
次に上紙片10について説明する。上紙片10に形成された貼付票11aと配送票11bには、配送先の情報を印字する配送先情報印字欄14が形成されるとともに、配送物の受注元である通信販売業者等の連絡先を印字する受注元情報印字欄15と、配送物の製造元である製造元情報印字欄16が同一平面状に形成されている。その他、上紙片10には品名や配達希望日、配達時間帯などの諸情報（図示せず）が記載される欄が設けられている。
【００１７】
このように形成された配送伝票１について、その使用方法について説明する。
【００１８】
配送伝票１は、下紙片18から剥離紙21を剥離することで露出した粘着剤19により配送物（図示せず）に貼着される。
【００１９】
そして、配送伝票１が貼着された配送物を発注者が受け取り、配送物を配達した配達人がこの受取人より受取のサインをもらった後、切り欠き13をきっかけとしてスリット12により配送票11bを下紙片18から剥離し、持ち帰る。このようにして受取人により受け取られた配送物は、受取人が受注元の連絡先と製品製造元の連絡先を確認できる状態となっており、受取人が配送された配送物に関する問い合わせをする際、連絡先をその状況によって選択できるものとなっている。
【００２０】
以上のように構成された配送伝票１は従来の配送伝票を示す図2と比較して、受注元情報印字欄15と製造元情報印字欄16とが上紙片10に構成されたことにより、受取人が受注元情報と製造元情報の両方を一度に確認することができるようになったため、受取人は届けられた製品に関する問い合わせをしやすくなった。また、受注元情報印字欄15と製造元情報印字欄16とを設けたことによって、予め受注元の情報が印刷された配送伝票を用意しておく必要がないため、配送伝票の使用用途が拡大し、受注元と製造元との組み合わせが自由になることで配送伝票としての使用効率が向上するものとなった。
【００２１】
なお、本願実施の形態は、貼付票と配送票を有するシートとして上紙片10と下紙片18の2層のシートを用いたが、本貼付票と配送票を有するシートとしては、それに限らず、上紙片の1枚により構成され、裏面に粘着層を設けて剥離紙に積層されている形態でもよい。その場合は、上紙片と剥離紙が直接、粘着層により貼着されてなるものとなり、上紙片に配送票を分離可能に区画形成させておき、この区画形成された配送票を取り囲むように、上紙片の剥離紙との重ね合わせ面に粘着剤を設け、剥離紙を剥離してこの粘着剤により上紙片が配送物に貼着されるものとなる。更に、配送票は上紙片から分離できる構成とするため、配送票の上紙片との境に切り取り用ミシン目を設けておくのが好ましい。この際、貼付票においては剥離紙との重ね合わせ面の全面に粘着剤が塗布され、剥離紙がこの粘着剤により全面で貼着されていることが好ましく、貼付票と重ね合わされた剥離紙を上紙片から剥離した後、上紙片と剥離紙とが貼着されていた粘着剤によって配送物に貼着されるものとなる。
【００２２】
尚、本願実施の形態は、配送票を剥離するきっかけとして切り欠きを設けているが、剥離のきっかけとなる構成であればこの構成に限定されることはなく、擬似接着剤層の剥離力が小さくなるように、第2の紙片のきっかけとなる位置に印刷を施すなどしておいてもよい。
【図１】
2015000478.tif 000003
【図２】
2015000478.tif 000004